【手続補正書】
【提出日】平成28年10月14日(2016.10.14)
【手続補正１】
【補正対象書類名】明細書
【補正対象項目名】０１１３
【補正方法】変更
【補正の内容】
【０１１３】
本明細書に引用されるすべての参考文献及び刊行物は、それらが本開示と直接矛盾し得る場合を除き、それらの全容を参照によって本開示に明確に援用するものである。以上、本明細書において具体的な実施形態を図示、説明したが、様々な代替的かつ／又は等価的な実現形態を、図示及び説明された具体的な実施形態に本開示の範囲を逸脱することなく置き換えることができる点は、当業者であれば認識されるところであろう。本出願は、本明細書において検討される具体的な実施形態のいかなる適合例又は変形例をも網羅しようとするものである。したがって、本開示は、特許請求の範囲及びその等価物によってのみ限定されるものとする。
本発明の実施態様の一部を以下の項目［１］−［３７］に記載する。
［項目１］
照明要素であって、
長手方向軸線、該長手方向軸線に垂直な光ダクト断面、空洞を画定する反射内面、及び外面を有する光ダクトと、
光が前記空洞から出射することができる光出力面を画定する前記反射内面に配置された複数のボイドと、
前記光出力面に隣接して、かつ前記空洞の外側に配置される転向フィルムであって、該転向フィルムが並列プリズム微細構造を備え、該並列プリズム微細構造の各々が前記光ダクトの前記光出力面に隣接した頂点を有する、転向フィルムと、
前記転向フィルムに隣接しかつ前記光出力面に対向する複数の隆起部を備えるステアリングフィルムであって、各隆起部が、前記長手方向軸線と平行であり、かつ前記転向フィルムからの入射光線を屈折させるように配置される、ステアリングフィルムと、を備え、
前記光出力面を通って前記空洞から出射する光線が、前記光ダクト断面に垂直な第１の平面内で前記転向フィルムによって再指向され、前記光ダクト断面と平行な第２の平面内で前記ステアリングフィルムによって更に再指向される、照明要素。
［項目２］
前記並列プリズム微細構造の各々が前記長手方向軸線に垂直に配向される、項目１に記載の照明要素。
［項目３］
前記光ダクト断面が前記長手方向軸線に沿って一定である、項目１に記載の照明要素。
［項目４］
前記光ダクト断面が、多角形、矩形、又は正方形を有する、項目１に記載の照明要素。
［項目５］
前記長手方向軸線に沿った前記光ダクトの長手方向寸法が、前記光ダクト断面の最大寸法の少なくとも８倍よりも大きい、項目１に記載の照明要素。
［項目６］
前記ボイドのうちの少なくとも１つが貫通孔を備える、項目１に記載の照明要素。
［項目７］
前記ボイドのうちの少なくとも１つが可視光透明領域を備える、項目１に記載の照明要素。
［項目８］
前記可視光透明領域が変形領域を備える、項目７に記載の照明要素。
［項目９］
前記変形領域が熱変形及び／又は圧力変形によって形成される、項目８に記載の照明要素。
［項目１０］
前記転向フィルム及び前記ステアリングフィルムのそれぞれが別個のポリマー基板上に配置される、項目１に記載の照明要素。
［項目１１］
前記頂点が５４度から８６度までの間の頂点夾角を有する、項目１に記載の照明要素。
［項目１２］
前記並列プリズム微細構造のうちの少なくとも２つの前記頂点夾角が異なる、項目１１に記載の照明要素。
［項目１３］
前記複数のボイドのうちの少なくとも２つが異なる断面積を有する、項目１に記載の照明要素。
［項目１４］
前記複数のボイドは、ボイドの面密度が前記長手方向軸線に垂直な方向において変化するか、前記長手方向軸線と平行な方向において変化するか、又はこれらの組み合わせを横切って変化するように配置される、項目１に記載の照明要素。
［項目１５］
前記複数のボイドの各々が均一のボイド断面積を有する、項目１に記載の照明要素。
［項目１６］
照明要素であって、
長手方向軸線、該長手方向軸線に垂直な光ダクト断面、空洞を画定する反射内面、及び外面を有する光ダクトと、
光が前記空洞から出射することができる光出力面を画定する前記反射内面に配置された複数のボイドと、
前記光出力面に隣接しかつ前記空洞の外側に配置される転向フィルムであって、該転向フィルムが並列プリズム微細構造を備え、該並列プリズム微細構造のそれぞれが前記光ダクトの前記光出力面に隣接した頂点を有する、転向フィルムと、
前記転向フィルムに隣接し前記光出力面に対向する複数の微細構造を備える二次元ステアリングフィルムであって、各微細構造が前記転向フィルムからの入射光線を屈折させるように配置される、二次元ステアリングフィルムと、を備え、
前記光出力面を通って前記空洞から出射する光線が、前記光ダクト断面に垂直な第１の平面内で前記転向フィルムによって再指向され、該第１の平面及び前記光ダクト断面と平行な第２の平面内で前記二次元ステアリングフィルムによって更に再指向される、照明要素。
［項目１７］
前記並列プリズム微細構造の各々が前記長手方向軸線に垂直に配向される、項目１６に記載の照明要素。
［項目１８］
前記光ダクト断面が前記長手方向軸線に沿って一定である、項目１６に記載の照明要素。
［項目１９］
前記光ダクト断面が、多角形、矩形、又は正方形を有する、項目１６に記載の照明要素。
［項目２０］
前記長手方向軸線に沿った前記光ダクトの長手方向寸法が、前記光ダクト断面の最大寸法の８倍未満よりも大きい、項目１６に記載の照明要素。
［項目２１］
前記ボイドのうちの少なくとも１つが貫通孔を備える、項目１６に記載の照明要素。
［項目２２］
前記ボイドのうちの少なくとも１つが可視光透明領域を備える、項目１６に記載の照明要素。
［項目２３］
前記可視光透明領域が変形領域を備える、項目２２に記載の照明要素。
［項目２４］
前記変形領域が熱変形及び／又は圧力変形によって形成される、項目２３に記載の照明要素。
［項目２５］
前記回転フィルム及び前記ステアリングフィルムのそれぞれが別個のポリマー基板上に配置される、項目１６に記載の照明要素。
［項目２６］
前記頂点が５４度から８６度までの間の頂点夾角を有する、項目１６に記載の照明要素。
［項目２７］
前記並列プリズム微細構造のうちの少なくとも２つの前記頂点夾角が異なる、項目２６に記載の照明要素。
［項目２８］
前記複数のボイドのうちの少なくとも２つが異なる断面積を有する、項目１６に記載の照明要素。
［項目２９］
前記複数のボイドは、ボイドの面密度が前記長手方向軸線に垂直な方向において変化するか、前記長手方向軸線と平行な方向において変化するか、又はこれらの組み合わせを横切って変化するように配置される、項目１６に記載の照明要素。
［項目３０］
前記複数のボイドのそれぞれが均一のボイド断面積を有する、項目１６に記載の照明要素。
［項目３１］
照明システムであって、
項目１又は項目１６に記載の照明要素と、
前記長手方向軸線と平行な長手方向の３０度未満のコリメーション半角の範囲内で光を前記照明要素に注入するように構成された光源と、を備え、
それにより、前記光が前記光ダクト空洞に沿って移動し、前記複数のボイドを通って前記空洞から出射して、前記転向フィルム及び前記ステアリングフィルムによって再指向されるときに、前記光の前記コリメーション半角が維持される、照明システム。
［項目３２］
前記長手方向軸線に垂直に、かつ前記光源の反対側の前記光ダクトの端部に配置される反射体を更に備える、項目３１に記載の照明システム。
［項目３３］
前記長手方向の３０度未満のコリメーション半角の範囲内で第２の光を前記照明要素に注入するように構成された第２の光源を更に備える、項目３１に記載の照明システム。
［項目３４］
前記光源又は前記第２の光源のうちの少なくとも１つが太陽光源を備える、項目３３に記載の照明システム。
［項目３５］
前記太陽光源が太陽集光器を備える、項目３４に記載の照明システム。
［項目３６］
前記複数のボイドが、弧、円、楕円、卵形、三角形、矩形、五角形、Ｘ字形、ジグザグ、ストライプ、スラッシュ、星形、及びこれらの組み合わせから選択される形状を有する、項目１又は項目１６に記載の照明要素。
［項目３７］
ある領域を照明するための方法であって、
項目１又は項目１６に記載の照明要素を提供することと、
前記照明要素の外側の照明領域を選択することと、
前記複数のボイド、前記転向フィルム、及び前記ステアリングフィルムを選択して、前記空洞から出射する前記光ビームを前記照明領域に指向することと、
前記長手方向軸線に平行な３０度未満の伝播のコリメーション半角の範囲内で光を前記光ダクトに注入することによって、前記空洞から出射する前記光ビームが前記照明領域に指向されるようにすることと、を含む、方法。
【手続補正２】
【補正対象書類名】特許請求の範囲
【補正対象項目名】全文
【補正方法】変更
【補正の内容】
【特許請求の範囲】
【請求項１】
照明要素であって、
長手方向軸線、該長手方向軸線に垂直な光ダクト断面、空洞を画定する反射内面、及び外面を有する光ダクトと、
光が前記空洞から出射することができる光出力面を画定する前記反射内面に配置された複数のボイドと、
前記光出力面に隣接して、かつ前記空洞の外側に配置される転向フィルムであって、該転向フィルムが並列プリズム微細構造を備え、該並列プリズム微細構造の各々が前記光ダクトの前記光出力面に隣接した頂点を有する、転向フィルムと、
前記転向フィルムに隣接しかつ前記光出力面に対向する複数の隆起部を備えるステアリングフィルムであって、各隆起部が、前記長手方向軸線と平行であり、かつ前記転向フィルムからの入射光線を屈折させるように配置される、ステアリングフィルムと、を備え、
前記光出力面を通って前記空洞から出射する光線が、前記光ダクト断面に垂直な第１の平面内で前記転向フィルムによって再指向され、前記光ダクト断面と平行な第２の平面内で前記ステアリングフィルムによって更に再指向される、照明要素。
【請求項２】
照明要素であって、
長手方向軸線、該長手方向軸線に垂直な光ダクト断面、空洞を画定する反射内面、及び外面を有する光ダクトと、
光が前記空洞から出射することができる光出力面を画定する前記反射内面に配置された複数のボイドと、
前記光出力面に隣接しかつ前記空洞の外側に配置される転向フィルムであって、該転向フィルムが並列プリズム微細構造を備え、該並列プリズム微細構造のそれぞれが前記光ダクトの前記光出力面に隣接した頂点を有する、転向フィルムと、
前記転向フィルムに隣接し前記光出力面に対向する複数の微細構造を備える二次元ステアリングフィルムであって、各微細構造が前記転向フィルムからの入射光線を屈折させるように配置される、二次元ステアリングフィルムと、を備え、
前記光出力面を通って前記空洞から出射する光線が、前記光ダクト断面に垂直な第１の平面内で前記転向フィルムによって再指向され、該第１の平面及び前記光ダクト断面と平行な第２の平面内で前記二次元ステアリングフィルムによって更に再指向される、照明要素。